(57)【要約】【課題】  貯玉処理時も含めて計数機の計数操作を簡略化でき、かつ各計数機から利用データを収集して計数担当者の勤務評価等に活用できるようにする。【解決手段】  玉計数機３０のメモリ部３１１に担当者コード及び店コードを含む計数許可条件を保持させる一方で、計数担当者には予め担当者コード及び店コードを記録したＩＣタグ３３を携帯させ、計数担当者が、ＩＣタグ３３を近接させることによりＩＣタグ読取／書込部３０９がタグ情報（担当者コード＋店コード）を読み取り、計数許可条件として保持している担当者コード及び店コードと比較照合して適否を判定し、タグ情報が適正である場合はシャッタ３０２を開放して計数を実行し、不適正である場合はシャッタ３０２を閉鎖して計数を禁止する。【選択図】  図４
2005334246.tif 000002
【特許請求の範囲】
【請求項１】
遊技媒体を計数する遊技媒体計数装置と、前記遊技媒体計数装置と通信可能に接続される管理装置とから成る遊技媒体計数システムにおいて、
前記遊技媒体計数装置は、
前記遊技媒体の計数動作を禁止状態に設定する禁止状態設定手段と、
計数許可条件情報を保持する保持手段と、
非接触型ＩＣタグから成る計数担当者用識別タグの近接を受けて当該識別タグに記憶されている情報を読み取る識別タグ処理手段と、
前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、
前記識別タグから読取られたタグ情報を含む前記計数動作に基づく利用データを前記管理装置に送信する送信手段と
を具備し、
前記管理装置は、
前記遊技媒体計数装置から送信される前記利用データを記憶した利用ログデータベースを作成する利用ログ作成手段と、
前記利用ログデータベースに記憶された利用データを所定の条件に基づき集計する集計手段と
を具備することを特徴とする遊技媒体計数システム。
【請求項２】
遊技媒体を計数する遊技媒体計数装置と、前記遊技媒体計数装置による遊技媒体計数値に応じて計数レシートを発行するレシート発行機に接続される景品管理装置とを通信可能に接続して成る遊技媒体計数システムにおいて、
前記遊技媒体計数装置は、
前記遊技媒体の計数動作を禁止状態に設定する禁止状態設定手段と、
計数許可条件情報を保持する保持手段と、
非接触型ＩＣタグから成る計数担当者用識別タグの近接を受けて当該識別タグに記憶されている情報を読み取る識別タグ処理手段と、
前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、
前記識別タグから読取られたタグ情報を含む前記計数動作に基づく利用データを前記景品管理装置に送信する送信手段と
を具備し、
前記景品管理装置は、
前記遊技媒体計数装置から送信される前記利用データを記憶した利用ログデータベースを作成する利用ログ作成手段と、
前記利用ログデータベースに記憶された利用データを所定の条件に基づき集計する集計手段と
を具備することを特徴とする遊技媒体計数システム。
【請求項３】
前記保持手段は、
自装置の計数操作を許可する計数担当者を識別する担当者識別情報及び遊技店を識別する店識別情報を含む前記計数許可条件を保持すると共に、
前記識別タグ処理手段は、
近接される識別タグに情報を書き込むことも可能とし、
前記識別タグは、
前記保持手段に保持された前記担当者識別情報及び店識別情報を前記識別タグ処理手段によって書込んだ前記タグ情報を記憶し、
前記制御手段は、
前記識別タグ処理手段により前記識別タグから読取られた担当者識別情報及び店識別情報と前記保持手段に保持された担当者識別情報及び店識別情報が各々一致するか否かにより前記禁止状態設定手段の禁止状態を解除または維持する
ことを特徴とする請求項１または２記載の遊技媒体計数システム。
【請求項４】
前記利用ログ作成手段は、
前記送信手段から送信される前記担当者識別情報を含む利用データから成る前記利用ログデータベースを作成し、
前記集計手段は、
前記担当者識別情報を前記所定の条件として前記利用ログデータベース内の利用データを集計する
ことを特徴とする請求項３記載の遊技媒体計数システム。
【請求項５】
前記集計手段は、
前記担当者識別情報、所定期間及び集計対象項目を前記所定の条件とする利用データ集計要求を受け入れ、前記担当者識別情報毎の前記所定期間内の前記集計対象項目の利用データを集計する
ことを特徴とする請求項４記載の遊技媒体計数システム。
【請求項６】
前記集計手段は、
計数利用回数及び計数値を前記集計対象項目として受け入れる
ことを特徴とする請求項５記載の遊技媒体計数システム。
【請求項７】
前記集計手段は、
所定のランキング集計対象項目を前記所定の条件とするランキング集計要求を受け入れ、各担当者識別情報別の前記ランキング集計対象項目についてのランキング集計を行なう
ことを特徴とする請求項４記載の遊技媒体計数システム。
【請求項８】
前記集計手段は、
取引回数、計数値合計の少なくともいずれか１つを前記ランキング集計対象項目として受け入れる
ことを特徴とする請求項７記載の遊技媒体計数システム。
【請求項９】
前記管理装置は、
前記利用ログデータベースに記憶された利用データを所定の検索条件に基づいて検索する検索手段
を更に具備することを特徴とする請求項１または２記載の遊技媒体計数システム。
【請求項１０】
前記検索条件は、
少なくとも取引番号、取引日時、担当者識別情報のいずれかを前記検索条件とする検索要求を受け入れ、該検索条件に該当する利用データを検索する
ことを特徴とする請求項９記載の遊技媒体計数システム。
【請求項１１】
前記遊技媒体計数装置は、
前記遊技媒体として玉を計数する玉計数機であり、
前記禁止状態設定手段は、
前記玉の通路に対して閉鎖または開放状態に駆動可能なシャッタ部材
であり、
前記制御手段は、
前記禁止状態の解除時、前記シャッタを開放する
ことを特徴とする請求項１または２記載の遊技媒体計数システム。
【請求項１２】
前記遊技媒体計数装置は、
前記遊技媒体としてメダルを計数するメダル計数機であり、
前記禁止状態設定手段は、
前記メダルを受け入れてメダル計数位置を通過させるように回転される計数円板
であり、
前記制御手段は、
前記禁止状態の解除時、前記計数円板を回転駆動する
ことを特徴とする請求項１または２記載の遊技媒体計数システム。
【発明の詳細な説明】
【技術分野】
【０００１】
本発明は、パチンコ店等の遊技店のパチンコ島やスロット島で遊技客が獲得したパチンコ玉やメダル等の遊技媒体を計数する遊技媒体計数システムに係わり、詳しくは、非接触型ＩＣタグから成る計数担当者用識別タグを用いて遊技媒体計数装置の計数動作を制御することで計数担当者による計数操作を簡略化できると共に、各遊技媒体計数装置から計数利用データを収集して、計数担当者の勤務評価等に活用できる遊技媒体計数システムに関する。
【背景技術】
【０００２】
パチンコ店等の遊技場では、パチンコ島に設置されるパチンコ機、あるいはスロット島に設置されるパチスロ機等の遊技機での遊技によって獲得したパチンコ玉（以下、玉）やメダル等の遊技媒体を計数する遊技媒体計数機が設置される。
【０００３】
この種の従来の遊技媒体計数機の一例として、例えば、下記特許文献１に記載される玉計数機３が知られている。
【０００４】
この玉計数機３は、玉を投入するホッパ部に開閉制御可能なシャッタ機構が備えられており、待機時には、シャッタが閉じられており、玉の計数が行えないようになっている。
【０００５】
遊技客は、獲得した玉を計数しようとした場合、店員（計数担当者）を呼び出して計数を行って欲しい旨を告げる。
【０００６】
これにより、計数担当者が、携帯する鍵カード（計数カード）を会員カードリーダ２に挿入すると、会員カードリーダ２は会員管理コンピュータ１に対して挿入されたカードが計数カードであるか否かの真偽を問い合わせ、計数カードであるとの判定結果が得られた場合には玉計数機３のシャッタが開放され、玉の計数を行うことが可能となる。
【特許文献１】特開２００１−８７５２６号公報
【発明の開示】
【発明が解決しようとする課題】
【０００７】
特許文献１に記載されるシステムでは、会員カードリーダ２は会員カードと、計数担当者が携帯する計数カードの双方を受入れるものであり、必然的に、計数カードも、会員カードと同様、会員カードリーダ２に挿入、情報読取り、カード返却という手順で扱われることになる。
【０００８】
かかる従来の鍵カード方式の計数機では、計数担当者が計数機で計数を行うためには、携帯している計数カードを会員カードリーダ２に挿入→情報読取→カード返却という手順で操作しなければならず、計数に時間がかかりしかも操作性も劣るという問題点があった。
【０００９】
また、会員カードリーダ２は、会員カードを受入れ、計数機によって計数された玉数分の度数を会員管理テーブルに追加する貯玉処理の機能を有するが、この貯玉を行なう場合、上記従来の計数機では、計数カード挿入→情報読取→カード返却という手順で操作して計数動作を起動した後、更に、会員カード挿入→情報読取→カード返却という手順で操作する必要があり、会員カードを用いた貯玉処理の操作が面倒であるという問題点があった。
【００１０】
また、上記従来の計数機では、会員カードリーダ２に受け入れた計数カードについて、該カードが正規の計数カードであるかどうかの認証（真偽判定）を行なうだけで、計数担当者の情報を加味した真偽判定は行っていないため、店員による不正計数が監視が行えず、また、計数時の利用データも収集していないため、計数担当者の勤務状況等も把握できないという問題点があった。
【００１１】
本発明は上記問題点を解消し、会員カードを用いた貯玉処理時も含めて計数機の計数操作を簡略化できると共に、各計数機から利用データを収集して、計数担当者の勤務評価等に活用できる遊技媒体計数システムを提供することを目的とする。
【課題を解決するための手段】
【００１２】
上記目的を達成するために、請求項１記載の発明は、遊技媒体を計数する遊技媒体計数装置と、前記遊技媒体計数装置と通信可能に接続される管理装置とから成る遊技媒体計数システムにおいて、前記遊技媒体計数装置は、前記遊技媒体の計数動作を禁止状態に設定する禁止状態設定手段と、計数許可条件情報を保持する保持手段と、非接触型ＩＣタグから成る計数担当者用識別タグの近接を受けて当該識別タグに記憶されている情報を読み取る識別タグ処理手段と、前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、前記識別タグから読取られたタグ情報を含む前記計数動作に基づく利用データを前記管理装置に送信する送信手段とを具備し、前記管理装置は、前記遊技媒体計数装置から送信される前記利用データを記憶した利用ログデータベースを作成する利用ログ作成手段と、前記利用ログデータベースに記憶された利用データを所定の条件に基づき集計する集計手段とを具備することを特徴とする。
【００１３】
請求項２記載の発明は、遊技媒体を計数する遊技媒体計数装置と、前記遊技媒体計数装置による遊技媒体計数値に応じて計数レシートを発行するレシート発行機に接続される景品管理装置とを通信可能に接続して成る遊技媒体計数システムにおいて、前記遊技媒体計数装置は、前記遊技媒体の計数動作を禁止状態に設定する禁止状態設定手段と、計数許可条件情報を保持する保持手段と、非接触型ＩＣタグから成る計数担当者用識別タグの近接を受けて当該識別タグに記憶されている情報を読み取る識別タグ処理手段と、前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、前記識別タグから読取られたタグ情報を含む前記計数動作に基づく利用データを前記景品管理装置に送信する送信手段とを具備し、前記景品管理装置は、前記遊技媒体計数装置から送信される前記利用データを記憶した利用ログデータベースを作成する利用ログ作成手段と、前記利用ログデータベースに記憶された利用データを所定の条件に基づき集計する集計手段とを具備することを特徴とする。
【００１４】
請求項３記載の発明は、上記請求項１または２記載の発明において、前記保持手段は、自装置の計数操作を許可する計数担当者を識別する担当者識別情報及び遊技店を識別する店識別情報を含む前記計数許可条件を保持すると共に、前記識別タグ処理手段は、近接される識別タグに情報を書き込むことも可能とし、前記識別タグは、前記保持手段に保持された前記担当者識別情報及び店識別情報を前記識別タグ処理手段によって書込んだ前記タグ情報を記憶し、前記制御手段は、前記識別タグ処理手段により前記識別タグから読取られた担当者識別情報及び店識別情報と前記保持手段に保持された担当者識別情報及び店識別情報が各々一致するか否かにより前記禁止状態設定手段の禁止状態を解除または維持することを特徴とする。
【００１５】
請求項４記載の発明は、上記請求項３記載の発明において、前記利用ログ作成手段は、前記送信手段から送信される前記担当者識別情報を含む利用データから成る前記利用ログデータベースを作成し、前記集計手段は、前記担当者識別情報を前記所定の条件として前記利用ログデータベース内の利用データを集計することを特徴とする。
【００１６】
請求項５記載の発明は、上記請求項４記載の発明において、前記集計手段は、前記担当者識別情報、所定期間及び集計対象項目を前記所定の条件とする利用データ集計要求を受け入れ、前記担当者識別情報毎の前記所定期間内の前記集計対象項目の利用データを集計することを特徴とする。
【００１７】
請求項６記載の発明は、上記請求項５記載の発明において、前記集計手段は、計数利用回数及び計数値を前記集計対象項目として受け入れることを特徴とする。
【００１８】
請求項７記載の発明は、上記請求項４記載の発明において、前記集計手段は、所定のランキング集計対象項目を前記所定の条件とするランキング集計要求を受け入れ、各担当者識別情報別の前記ランキング集計対象項目についてのランキング集計を行なうことを特徴とする。
【００１９】
請求項８記載の発明は、上記請求項７記載の発明において、前記集計手段は、取引回数、計数値合計の少なくともいずれか１つを前記ランキング集計対象項目として受け入れることを特徴とする。
【００２０】
請求項９記載の発明は、上記請求項１または２記載の発明において、前記管理装置は、前記利用ログデータベースに記憶された利用データを所定の検索条件に基づいて検索する検索手段を更に具備することを特徴とする。
【００２１】
請求項１０記載の発明は、上記請求項９記載の発明において、前記検索条件は、少なくとも取引番号、取引日時、担当者識別情報のいずれかを前記検索条件とする検索要求を受け入れ、該検索条件に該当する利用データを検索することを特徴とする。
【００２２】
請求項１１記載の発明は、上記請求項１または２記載の発明において、前記遊技媒体計数装置は、前記遊技媒体として玉を計数する玉計数機であり、前記禁止状態設定手段は、前記玉の通路に対して閉鎖または開放状態に駆動可能なシャッタ部材であり、前記制御手段は、前記禁止状態の解除時、前記シャッタを開放することを特徴とする。
【００２３】
請求項１２記載の発明は、上記請求項１または２記載の発明において、前記遊技媒体計数装置は、前記遊技媒体としてメダルを計数するメダル計数機であり、前記禁止状態設定手段は、前記メダルを受け入れてメダル計数位置を通過させるように回転される計数円板であり、前記制御手段は、前記禁止状態の解除時、前記計数円板を回転駆動することを特徴とする。
【発明の効果】
【００２４】
本発明によれば、遊技媒体の計数動作を禁止状態に設定する禁止状態設定手段を有し、非接触型ＩＣタグから成る計数担当者用識別タグの近接を受けて当該識別タグに記憶されている情報を読み取る識別タグ処理手段によって、近接された識別タグからタグ情報を読み取り、該識別タグから読取られたタグ情報と予め保持された計数許可条件情報とを照合し、読取られたタグ情報が適正である場合に禁止状態設定手段の禁止状態を解除して計数動作を行なうようにしたものである。
【００２５】
かかる構成によれば、計数担当者が携帯する識別タグに記憶されているタグ情報が、遊技媒体計数装置に記憶されている計数許可条件に含まれている限り、計数担当者は識別タグを当該遊技媒体計数装置の識別タグ処理手段に近接させるだけで計数操作を行えるため、従来の鍵カード式の計数機のように、カード挿入→情報読取→カード返却という操作は不要となり、計数操作を簡略化できしかも計数時間も短縮できる。
【００２６】
また、会員カードを用いた貯玉処理を行なう場合も、遊技媒体計数装置の計数動作起動については識別タグを識別タグ処理手段に近接させるだけで済み、後の貯玉処理の操作は、会員カードのみについてカード挿入、情報読取、カード返却という操作を行えば良いから、貯玉処理操作も極めて簡略になる。
【００２７】
また、本発明では、管理装置あるいは景品管理装置は、遊技媒体計数装置から収集した利用データに基づき作成した利用ログデータベースを所定の条件に基づき集計する集計手段を備えるため、例えば、各計数担当者毎の１日あたりの計数利用回数や計数値総数を集計したり、各計数担当者毎の取引回数や計数値合計値のランキング集計を行なうことができ、これら集計結果を見ることで、各担当者がどの計数機で何回計数作業にあたったかや、どの程度の遊技媒体数の計数に従事したか等を把握でき、計数担当者の勤務状況の管理が極めて容易になる。
【発明を実施するための最良の形態】
【００２８】
以下、本発明の実施形態について添付図面を参照して詳細に説明する。
【実施例１】
【００２９】
図１は、本発明の実施例１に係る遊技媒体計数システムが適用される遊技店システムの概略構成を示すブロック図である。
【００３０】
このシステムは、例えば、パチンコ店に設置されるものであり、管理装置１０と、各パチンコ島（以下、）Ａ，Ｂ，Ｃ，…に対応して設置される島コントローラ２０（２０Ａ，２０Ｂ，２０Ｃ，…）と、各島Ａ，Ｂ，Ｃ，…に設置される島構成要素とをローカル・エリア・ネットワーク（ＬＡＮ）８０を介して接続して構成される。
【００３１】
管理装置１０は、遊技システム全体を制御統括するコントローラ（ターミナル・コントローラ：以下、Ｔ／Ｃ）であり、例えば、図２に示すように、主制御部であるＣＰＵ１１、ハードディスクなどの記憶装置１２、動作プログラム等を記憶するメモリ１３、マウスやキーボード等の入力装置１４、ＣＲＴ等の表示装置１５、ＬＡＮ８０を介して島コントローラ２０、各島構成要素間及びプリンタ１７との通信を行う通信インタフェース（Ｉ／Ｆ）部１６を備えたＰＣ（パーソナル・コンピュータ）等の情報処理端末により構成される。
【００３２】
Ｔ／Ｃ１０において、メモリ１３は、会員情報を管理する会員管理テーブル１３１、各島毎に配置される各玉計数機３０に対応して計数操作を許可する店員（計数担当者）の情報を管理する計数担当者データベース（ＤＢ）１３３、各玉計数機３０から収集される利用データに基づく利用ログ情報を記憶する利用ログデータベース（ＤＢ）１３５を有する。
【００３３】
また、制御部１１には、所定の集計条件が指定された集計要求または所定の検索条件（検索キー）が指定された検索要求が入力装置１４から入力されることにより、上記利用ログＤＢ１３５を対象にして上記集計条件でのデータ集計及び上記検索キーでのデータ検索を行う集計／検索処理部１１１が設けられている。
【００３４】
一方、各島（Ａ，Ｂ，Ｃ，…）には、島構成要素として、それぞれ、遊技客が獲得した玉を計数する玉計数機３０（３０Ａ，３０Ｂ，３０Ｃ，…）、玉計数機３０からのレシート発行指示に基づき、玉計数機３０による玉計数値を、計数日時、計数機の号機等の情報と共に印字した玉数レシートを発行するレシート発行機３５（３５Ａ，３５Ｂ，３５Ｃ，…）、各々複数台の遊技機４０（４０Ａ，４０Ｂ，４０Ｃ，…）、対応する各遊技機４０（この例では、パチンコ機）に対して玉を貸し出す処理を行う玉貸処理機４５（４５Ａ，４５Ｂ，４５Ｃ，…）、遊技機４０での遊技に使用された玉を回収する玉回収機構５１（５１Ａ，５１Ｂ，５１Ｃ，…）、回収された玉を送りつつ研磨する揚送・研磨機構５２（５２Ａ，５２Ｂ，５２Ｃ，…）、研磨された玉を各遊技機４０に補給する補給機構５３が設置される。
【００３５】
図１のシステム構成において、遊技客が、価値付け後の会員カード（あるいは、プリペイドカード）を玉貸処理機４５に挿入して貸出操作を行うと、対応する遊技機４０の玉投出機構が作動して、予め設定された貸出単位分のパチンコ玉が遊技機４０の上皿へと投出される。
【００３６】
挿入されたカードが会員カードの場合、この投出代金は、カードの識別データ（カードＩＤ）に対応してＴ／Ｃ１０に予め会員管理テーブル１３１に登録されている度数から減算される。玉貸処理機４５に会員カードが挿入された状態で、貨幣が直接投入された場合には、貨幣を受け入れて、会員カードに価値を追加することも可能である。
【００３７】
この他、玉貸処理機４５は、貨幣を受け入れて、パチンコ玉を貸し出す機能も有している。
【００３８】
遊技客は、玉貸処理機４５から貸し出された玉を用いて遊技機４０で遊技を行なうことができる。
【００３９】
遊技中、各島では、複数の遊技機４０間で玉が循環されている。
【００４０】
図３は、島における玉循環プロセスを示す概念図である。
【００４１】
図３に示すように、遊技機４０で遊技に用いられた玉は、玉回収機構５１の玉回収通路５１１ａを通って貯留タンク５１２に貯留された後、揚送・研磨機構５２の揚送部５２１によって上方に揚送された後で研磨部５２２で研磨され、その後、補給機構５３の補給通路５３１を通って各遊技機４０に補給される。
【００４２】
また、計数機３０は、計数機側玉回収通路５１１ｂを介して貯留タンク５１２に連結されており、当該計数機３０によって計数された玉は計数機側玉回収通路５１１ｂを通って貯留タンク５１２に回収された後、遊技機４０から回収された玉と同様、揚送・研磨５２での揚送・研磨プロセスを経て補給機構５３により各遊技機４０へと補給される。
【００４３】
なお、貯留タンク５１２には、該貯留タンク５１２内の玉の貯留量を検知する貯留量検知センサ５１３が設けられており、上記玉循環プロセス中、該貯留量検知センサ５１３による検知結果を玉計数機３０に送出するようになっている。
【００４４】
また、玉回収通路５１１ａ中には、玉が詰まったことを検知する詰まり検知センサ５１４が設けられており、上記玉循環プロセス中、該詰まり検知センサ５１４による検知結果を玉計数機３０に送出するようになっている。
【００４５】
図３に示す玉循環プロセスの下で、遊技客が遊技機４０での遊技によって玉を獲得した場合、この獲得した玉を玉計数機３０に投入して計数することができる。
【００４６】
次に、本実施例に係わる玉計数機３０の構成及び動作について説明する。
【００４７】
図４は、本実施例に係わる玉計数機３０の機能構成を示すブロック図である。
【００４８】
図４に示すように、玉計数機３０は、後述する店コード等の各種情報や各操作指示情報を入力する入力部３００、玉計数ガイダンスや計数結果等の各種情報を表示する表示部３０１、玉の投入経路を遮蔽する位置と開放する位置の間を動けるように設けられるシャッタ３０２、上記位置間を動くようにシャッタ３０２を駆動するシャッタ駆動モータ３０３、シャッタ３０２の開閉（開かれているか閉じているか）を検知するシャッタ開閉検知部３０４、シャッタ３０２が開放されている時に玉取込口から取り込まれる玉の通過を１個ずつ検知して計数パルスを出力する計数センサ３０５、計数完了後、特殊景品の交換価値に満たない玉を返却する玉返却部３０６、異常電波、異常振動あるいはカバー開放等の異常を検出する異常検出部３０７、メンテナンス等に際してシャッタ３０２の開閉を手動で指示するシャッタ開閉スイッチ３０８、店員（計数担当者）識別用の識別タグとして該計数担当者が携帯するＩＣタグ３３が近接された時に該ＩＣタグ３３からタグ情報を読み出すと共に、該近接されたＩＣタグ３３に情報を書き込む（「ＩＣタグ処理部」としての）ＩＣタグ読取／書込部３０９、カレンダー機能を有する計時部３１０、各種情報を記憶するメモリ部３１１、計数異常等を報知するための警告音を出力するブザー３１２、各部に電源を供給する電源部３１３、Ｔ／Ｃ１０、レシート発行機３５等との通信を行うと共に、貯留量検知センサ５１３及び詰まり検知センタ５１４（図３参照）からそれぞれの検知出力を受信する通信インタフェース（Ｉ／Ｆ）部３１４、玉計数機３０全体の制御を行う制御部３１５を具備して構成される。
【００４９】
制御部３１５には、計数担当者が携帯しているＩＣタグ３３をＩＣタグ読取／書込部３０９に近接した時に該ＩＣタグ３３からＩＣタグ読取／書込部３０９によって読取られたタグ情報に基づき計数が可能であるか否かを判定し、計数可能であると判定された場合にはシャッタ３０２を開放して玉の計数を行い、計数不能であると判定された場合にはシャッタ３０２を閉じたままにして玉の計数を禁止する制御を行なう計数制御部３１５１が備わる。
【００５０】
図５は、本実施例に係わる玉計数機３０の断面構成を示す概念図である。
【００５１】
図５に示すように、玉計数機３０は、玉投入部（ホッパ）３２１の玉取込口３２２の下部にシャッタ３０２が取り付けられている。
【００５２】
具体的に、シャッタ３０２は、シャッタ駆動モータ３０３にギヤ等を介して連結され、該シャッタ駆動モータ３０３の正回転または逆回転に応じて矢印ａ方向と矢印ｂ方向とに移動可能に取り付けられている。
【００５３】
待機時、シャッタ３０２は、計数制御部３１５１からシャッタ閉鎖指令を与えられているシャッタ駆動モータ３０３によって、玉取込口３２２を遮蔽するような位置（図５の２点鎖線で示す位置：シャッタ３０２閉鎖状態）に保たれている。
【００５４】
その後、計数制御部３１５１は、ＩＣタグ読取／書込部３０９により近接されたＩＣタグ３３から読取られたタグ情報に基づき計数不可である判定した場合、シャッタ駆動モータ３０３にシャッタ開放指令を与えることなく、シャッタ３０２を閉じられた状態に維持する。
【００５５】
これに対して、ＩＣタグ読取／書込部３０９により近接されたＩＣタグ３３から読取られたタグ情報に基づき計数可能であると判定した場合、計数制御部３１５１は、シャッタ駆動モータ３０３にシャッタ開放指令を送出する。
【００５６】
このシャッタ開放指令に基づきシャッタ駆動モータ３０３はシャッタ３０２を玉取込口３２２を開放するような位置（図５の実線に示す位置：シャッタ３０２開放状態）になるまで矢印ｂ方向に移動させるように駆動する。
【００５７】
このシャッタ３０２開放状態において、玉収容器から玉投入部３２１に投入された玉は、開放されている玉取込口３２２から取込まれてガイドに沿って下方に転がり落ちていき、最終的には、計数機側玉回収通路５１１ｂを経由して貯留タンク５１２まで送られる。
【００５８】
ここで、計数機側玉回収通路５１１ｂの上流側には、玉取込口３２２から取込まれた玉が通る複数の計数レーンが設けられ、当該各レーンには計数センサ３０５（但し、図５では１つの計数センサ３０５だけを示す）が各々配置される。
【００５９】
そして、シャッタ３０２の開放により玉取込口３２２から取り込まれた玉が上記各レーンを通って転がり落ちていく際に当該各レーンに設けられる計数センサ３０５は１個の玉が通過する毎に検知出力に相当するパルスを発生し、玉計数機３０は計数制御部３１５１によって上記出力パルスに基づき玉数を計数する処理を行う一方、該玉計数機３０に接続されるレシート発行機３５は玉計数機３０から上記計数処理に基づく玉数情報を受取って計数レシートを発行する。
【００６０】
玉の計数が終了すると、計数制御部３１５１は、玉計数値を表示部３０１に表示すると共に、シャッタ駆動モータ３０３にシャッタ閉鎖指令を送出する。
【００６１】
このシャッタ閉鎖指令に基づきシャッタ駆動モータ３０３は、シャッタ３０２を図５の実線で示す位置（シャッタ開放位置）から同図に２点鎖線で示す位置（シャッタ閉鎖位置）に到達するまで矢印ａ方向に移動させるように駆動する。
【００６２】
これにより、シャッタ３０２が閉じられ、以後、玉計数機３０は、玉計数が行えない状態（待機状態）となる。
【００６３】
本実施例の遊技媒体計数システムにおいて、上述した計数制御部３１５１での玉計数の許可／禁止制御（シャッタ開閉制御）は、当該玉計数機３０に予め保持されている計数許可条件と、担当者によって近接されたＩＣタグ３３からＩＣタグ読取／書込部３０９が読み取ったタグ情報との照合に基づいて行なわれる。
【００６４】
本実施例において、ＩＣタグ読取／書込部３０９とＩＣタグ３３は、例えば、ＲＦＩＤ（Radio Frequency-Identification：電波方式認識）技術で実現できる。
【００６５】
すなわち、ＩＣタグ読取／書込部３０９は、アンテナとコントローラから成り、データの読取、書込み（リーダライタ）機能を有する一方、ＩＣタグ３３は、ＩＣチップにデータを記憶可能な媒体で構成され、ＩＣタグ３３をＩＣタグ読取／書込部３０９に近接させることによって、ＩＣタグ読取／書込部３０９内のコントローラが非接触の無線通信によってＩＣタグ３３内のＩＣチップのデータの読取りあるいは書込みを行なうものである。
【００６６】
ここで、ＩＣタグ読取／書込部３０９とＩＣタグ３３間の無線通信方式としては、電磁誘導方式、電磁結合方式、マイクロ波方式、光（赤外線）方式が採用できる。
【００６７】
具体的な実施形態として、本実施例では、計数担当者が担当者用識別タグとして保持するＩＣタグ３３は、例えば、図６に示すように、タグベース部３３１にリストバンド３３２を取り付けた構成により実現される。
【００６８】
タグベース部３３１にはＩＣチップ３３３が実装されており、計数担当者が腕にリストバンド３３２を装着した状態でタグベース部３３１を計数機３０のＩＣタグ読取／書込部３０９に近接させることにより、該ＩＣタグ読取／書込部３０９がＩＣチップ３３３からタグ情報を読み出す。
【００６９】
そして、計数制御部３１５１では、ＩＣタグ３３から読み取られたタグ情報に基づき計数制御部３１５１が保持している計数許可条件との照合を経て玉計数が可能か否かを判定することによりシャッタ３０２を開閉制御する構成となっている。
【００７０】
なお、ＩＣタグ読取／書込部３０９は、ＩＣタグ３３が近接された状態で、該ＩＣタグ３３のＩＣチップ３３３に情報を書込むこともできる。
【００７１】
本実施例では、上述した計数制御部３１５１によるシャッタ３０２の開閉制御に関して、シャッタ３０２を開放する条件つまり玉の計数を許可する条件として、計数を担当する計数担当者（以下、担当者）を識別する識別情報（担当者コード）と遊技店を識別する識別情報（店コード）を用いるようにしている。
【００７２】
具体的には、上記担当者コードと店コードを各玉計数機３０に対応付けて予め登録しておく一方、各担当者が携帯するＩＣタグ３３にもこれら担当者コードと店コードを記憶させておく。
【００７３】
こうすることで、各玉計数機３０では、各担当者が携帯するＩＣタグ３３を計数機３０のＩＣタグ読取／書込部３０９に近接させた際、ＩＣタグ読取／書込部３０９がＩＣタグ３３から読取った担当者コード及び店コードと、当該玉計数機３０に対応して予め登録されている担当者コード及び店コードとを比較照合し、両者が一致するか否かによって計数を許可するか否かを判定し、計数許可判定がなされた場合にはシャッタ３０２を開放して玉計数を行い、計数不可判定がなされた場合にはシャッタ３０２を閉鎖したまま玉計数を禁止するように制御することができる。
【００７４】
この制御の結果、遊技店内の各玉計数機３０毎に、当該各玉計数機３０に対応して予め担当者コードが登録されている担当者のみが当該玉計数機３０での玉計数を行え、それ以外の担当者は計数を行えなくする運用ができる。
【００７５】
この場合、各玉計数機３０と担当者コードとの対応付け次第で、各担当者が当該各担当者に任された玉計数機３０以外の玉計数機３０での玉計数を行えなくすることができ、不正な計数を防止することができる。
【００７６】
次に、本実施例に係わる遊技媒体計数システムの運用準備手順について説明する。
【００７７】
図７は、本実施例に係わる遊技媒体計数システムの計数制御準備段階におけるＴ／Ｃ１０と玉計数機３０間の制御シーケンスを示す図である。なお、図７では玉計数機３０は１台しか開示していないが、実際には、複数の玉計数機（３０Ａ，３０Ｂ，３０Ｃ，…）が存在し、Ｔ／Ｃ１０との間でそれぞれ同等の処理を行う。
【００７８】
このシステムにおいて、Ｔ／Ｃ１０では、登録担当者（例えば、管理者）が、入力装置１４を操作して担当者の情報（担当者コード、担当者の氏名）や関連する情報（計数機番号、使用可能時間帯等）を入力することにより、例えば、メモリ１３内に計数担当者ＤＢ１３３を登録する（ステップＳ１０１）。
【００７９】
図８は、上記ステップＳ１０１においてメモリ１３内に登録された計数担当者ＤＢ１３３の一例を示す図である。
【００８０】
この計数担当者ＤＢ１３３には、遊技店内に設置される各玉計数機３０の番号（計数機番号）に対応して、それぞれ、当該各玉計数機３０毎に割り当てられた計数担当者の担当者コード及び担当者氏名、各計数担当者毎の対応する玉計数機３０の使用可能時間帯及び使用可能日の各情報が登録されると共に、同一の担当者コードによる各玉計数機３０の同時使用を禁止するか否かを指示する情報（この例では、禁止）が登録されている。
【００８１】
なお、上記使用可能時間帯については、例えば、遊技店の営業時間（例えば、１０：００〜２２：００）であっても開店直後の所定時間（例えば、１０：００〜１１：００）内は使用不可に設定し、一方、閉店直後の所定時間（例えば、２２：００〜２２：１５）内は使用可能に設定することが望ましい。
【００８２】
また、Ｔ／Ｃ１０は、上述の如く計数担当者ＤＢ１３３を作成した後、該計数担当者ＤＢ１３３に登録された情報の中から、各玉計数機３０毎に対応付けられた担当者コードと該担当者コードに対応する設定情報（使用可能時間帯等）を抽出し、該担当者コード及び関連する設定情報を計数許可条件情報として対応する各玉計数機３０にそれぞれ送信する（ステップＳ１０２）。
【００８３】
一方、各玉計数機３０では、管理者が入力部３００を操作してＩＣタグ用の店コード（００１〜９９９）を入力することにより、該店コードを例えばメモリ部３１１に登録する（ステップＳ２０１）。
【００８４】
その後、Ｔ／Ｃ１０から送出される計数許可条件情報を受信すると（ステップＳ２０２）、各玉計数機３０では、該受信した計数許可条件情報を例えばメモリ部３１１に記憶させる（ステップＳ２０３）。
【００８５】
その後、管理者は、玉計数機３０のＩＣタグ読取／書込部３０９にＩＣタグ３３を接近させる。これにより、玉計数機３０では、ＩＣタグ読取／書込部３０９によって、メモリ部３１１に保持されている担当者コード及び店コードがＩＣタグ３３のＩＣチップ３３３に書込まれる（ステップＳ２０４）。
【００８６】
この書込み処理は、玉計数機３０一台につき、当該玉計数機３０を担当する担当者分のＩＣタグ３３について行なう。
【００８７】
具体的には、玉計数機３０において、メンテナンスモードを起動し、メモリ部３１１に保持している担当者コードを１つ選択し、ＩＣタグ読取／書込部３０９にＩＣタグ３３を接近させたうえで、「書込み開始」指示を与えることで、当該選択された担当者コード及び店コードを、ＩＣタグ読取／書込部３０９によりＩＣタグ３３にタグ情報として記録させる操作を各担当者分実施する。
【００８８】
これにより、各担当者の担当者コードと店コードが書込まれた複数のＩＣタグ３３が用意されることになる。
【００８９】
更に、管理者は、担当者コード及び店コードが書込まれたＩＣタグ３３を、当該ＩＣタグ３３に担当者コード及び店コードを書込んだ玉計数機３０を担当する各担当者に渡す。これにより、本実施例に係わるＩＣタグ３３を用いた計数制御の運用準備が完了する。
【００９０】
このように、玉計数機３０のメモリ部３１１に保持された担当者コードや店コードを、玉計数機３０のＩＣタグ読取／書込部３０９によってＩＣタグに書き込む方式をとれば、予め情報が記憶されたＩＣタグを用意しておいて、各計数機に関連付けて保管するという手間がかからず、必要なときに、必要なＩＣタグを用意することができる。また、ＩＣタグに情報を書き込むための専用の装置を用意する必要もない。
【００９１】
上記運用準備完了段階では、各玉計数機３０にはＴ／Ｃ１０から計数担当者ＤＢ１３３に基づきそれぞれ配布（送信）された計数許可条件が保持され、更に、各担当者が自分に割り当てられた担当者コードと店コードが記憶されたＩＣタグ３３を携帯していることになる。
【００９２】
具体例を挙げれば、例えば、図８に示す内容の計数担当者ＤＢ１３３に基づき各玉計数機３０に対応する計数許可条件が配布された時の運用準備完了段階においては、玉計数機３０Ａ（計数機番号００１）、玉計数機３０Ｂ（計数機番号００２）、玉計数機３０Ｃ（計数機番号００３）のそれぞれに記憶される計数許可条件と、各担当者が携帯するＩＣタグ３３に記録されるタグ情報の関係は図９に示すようなものとなる。
【００９３】
なお、図９において、各玉計数機３０に保持される計数許可条件には、図示している店コードと担当者コードの他、各担当者コードに対応する使用可能時間帯及び使用可能日の情報（図示せず）も含まれていることは言うまでもない。
【００９４】
上記運用準備が完了すると、玉計数機３０は待機状態（図７：ステップＳ２０５）に置かれる。
【００９５】
図１０は、待機状態にある各玉計数機３０の計数制御動作を示すフローチャートである。
【００９６】
上記運用準備が完了し、玉計数機３０が待機状態（ステップＳ２０５）となった後、遊技客が、遊技機４０での遊技によって獲得した玉を計数しようとする場合、担当者を呼び出す。具体的には、隣接される呼び出し装置を使ったり、直接、「計数して下さい。」という声をかける。
【００９７】
呼び出しに応じて駆け付けた担当者は、自分が担当する玉計数機３０まで客が獲得した玉を持って行き、該玉計数機３０のＩＣタグ読取／書込部３０９に自分が携帯しているＩＣタグ３３を図６に示すような方法でかざす（近接させる）。
【００９８】
玉計数機３０は、待機状態（ステップＳ２０５）において、ＩＣタグ読取／書込部３０９にＩＣタグ３３が近接される（ステップＳ２１１ａＹＥＳ）と、該ＩＣタグ読取／書込部３０９が近接されたＩＣタグ３３から担当者コード及び店コードを読取る（ステップＳ２１２ａ）。
【００９９】
次いで、計数制御部３１５１は、ＩＣタグ３３から読取った店コードをメモリ部３１１に保持している店コードと照合し（ステップＳ２１３ａ）、読取った店コードと保持している店コードが一致するか否かによって店コードが適正か否かを判定する（ステップＳ２１４ａ）。
【０１００】
ここで、店コードが適正でないと判定された場合（ステップＳ２１４ａＮＯ）、計数制御部３１５１は、例えば、表示部３０１に店コードが不適正である旨のメッセージを表示したり、ブザー３１２を鳴動させて警報音を発する等のエラー報知処理を行う（ステップＳ２３１ａ）。
【０１０１】
このエラー報知処理においては、表示部３０１に、ＩＣタグ３３の再読取を促すメッセージを表示するようにしても良い。
【０１０２】
これに対して、店コードが適正であると判定された場合（ステップＳ２１４ａＹＥＳ）、次いで、計数制御部３１５１は、ＩＣタグ３３から読取った担当者コードをキーにメモリ部３１１に保持している担当者コードをチェックし（ステップＳ２１５ａ）、読取った担当者コードに一致する担当者コードがメモリ部３１１に保持されているか否かによって担当者コードが適正か否かを判定する（ステップＳ２１６ａ）。
【０１０３】
ここで、担当者コードが適正でないと判定された場合（ステップＳ２１６ａＮＯ）、計数制御部３１５１は、ステップＳ２３１ａに進み、エラー報知処理を行う。
【０１０４】
これに対して、担当者コードが適正であると判定された場合（ステップＳ２１６ａＹＥＳ）、次いで、計数制御部３１５１は、該担当者コードに対応してメモリ部３１１に保持されている他条件をチェックし（ステップＳ２１７ａ）、当該他条件が適正か否かを判定する（ステップＳ２１８ａ）。
【０１０５】
この他条件の適正判定においては、例えば、適性であると判定された担当者コードに対応して登録されている使用可能時間帯及び使用可能日と、計時部３１０で計時した現在の時刻及びカレンダー機能により特定された曜日とを比較し、使用可能日が合致しかつ使用可能時間帯に含まれる時刻であれば、他条件が適正であると判定し、使用可能日が合致しないかまたは使用可能時間帯以外の時刻の少なくともいずれかであれば、他条件が不適正であると判定する。
【０１０６】
更に、計数制御部３１５１は、ステップＳ２１８ａでの他条件適否判定において、上記使用可能時間帯や使用可能日以外の条件（貯留タンク５１２の貯留量、玉回収通路５１１ｂでの玉詰まり、玉計数機３０本体部異常検知等）についても適否判定を行なうが、これについては図１１を参照して後で詳述する。
【０１０７】
上記ステップＳ２１８ａにおいて、他条件が適正でないと判定された場合（ステップＳ２１８ａＮＯ）、計数制御部３１５１は、ステップＳ２３１ａに進み、エラー報知処理を行う。
【０１０８】
これに対して、他条件が適正であると判定された場合（ステップＳ２１８ａＹＥＳ）、次いで、計数制御部３１５１は、シャッタ駆動モータ３０３にシャッタ開放指令を送出することにより、シャッタ３０２を開放する（ステップＳ２１９ａ）。
【０１０９】
この状態で、計数制御部３１５１は、玉収容器から玉投入部３２１に投入され、シャッタ３０２の開放によって玉取込口３２２から取込まれる玉が各レーンを通過する毎に当該各レーンに設けられた計数センサ３０２から出力されるパルスを検知して玉が投入されている（ステップＳ２２０ａＹＥＳ）ことを認識しながら、該出力パルスに基づいて玉数を計数する（ステップＳ２２１ａ）。
【０１１０】
そして、上記出力パルスが得られない期間が一定時間続くことにより計数終了を認識すると（ステップＳ２２２ａＹＥＳ）、計数制御部３１５１は、レシート発行機３５に対してレシート発行を指示する（ステップＳ２２３ａ）。
【０１１１】
レシート発行機３５では、玉計数機３０からのレシート発行指示に基づき、当該玉計数機３０からそれまでの計数処理で得た玉数情報（玉計数値）を取得し、該玉計数値、あるいは、計数日時、計数機の番号等の情報を印字した玉数レシートを発行すると共に、玉数レシートの発行が正常に終了すると、計数の不許可を指示する信号を玉計数機３０に対して送出する。
【０１１２】
また、この時、特殊景品に交換できない余り玉がある場合には、余り玉数も玉計数機３０に通知する。
【０１１３】
一方、玉計数機３０では、レシート発行機３５から計数不許可指示信号を受信したか否かによってレシート発行が完了したかどうかをチェックし（ステップＳ２２４ａ）、レシート発行が完了した場合（ステップＳ２２４ａＹＥＳ）、更に、レシート発行機３５からの余り玉数の通知如何によって余り玉数があるか否かをチェックする（ステップＳ２２５ａ）。
【０１１４】
ここで、余り玉数がない場合（ステップＳ２２５ａＮＯ）、計数制御部３１５１は、シャッタ駆動モータ３０３にシャッタ閉鎖指令を送出することにより、シャッタ３０２を閉鎖する（ステップＳ２２７ａ）。
【０１１５】
これに対し、余り玉数があった場合（ステップＳ２２５ａＹＥＳ）、計数制御部３１５１は、玉返却部３０６に指示して余り玉数の返却を行ない（ステップＳ２２６ａ）、返却が完了した後、ステップＳ２２７ａに進み、シャッタ３０２を閉鎖する。
【０１１６】
その後、計数制御部３１５１は、それまで一連の計数制御における計数成否や、玉計数値等の利用データをＴ／Ｃ１０に送信し（ステップＳ２２８ａ）、送信終了後、待機状態に復帰する。
【０１１７】
次に、図１０のステップＳ２１８ａにおける他条件の適否判定処理について図１１に示すフローチャートを参照してより詳細に説明する。
【０１１８】
図１０で説明したように、計数制御部３１５１は、ステップＳ２１６ａで担当者コードが適正であると判定（ステップＳ２１６ａ）した後、ステップＳ２１７ａを経て、図１１に示す他条件適否判定処理（ステップＳ２１８ａ）に進む。
【０１１９】
図１１に示す他条件適否判定処理において、計数制御部３１５１は、まず、ステップＳ２１６ａで適正と判定された担当者コードに対応する使用可能時間帯及び使用可能日の各情報（メモリ部３１１に保持されている）のチェックを行なう（ステップＳ２４１）。
【０１２０】
ここで、計数制御部３１５１は、適正と判定された担当者コードに対応してメモリ部３１１に記憶されている使用可能時間帯及び使用可能日の各情報と、計時部３１０で計時した現在の時刻及びカレンダー機能により特定された曜日とを比較し、計時時刻が設定されている使用可能時間帯内にあり、かつ計時部３１０により特定された曜日が設定されている使用可能日に該当していれば使用可能時間帯及び使用可能日が適正であると判定し（ステップＳ２４１ＹＥＳ）、計時時刻が設定されている使用可能時間帯外か、計時部３１０により特定された曜日が設定されている使用可能日に該当していないかの少なくともいずれか一方であれば、使用可能時間帯及び使用可能日が不適正であると判定する（ステップＳ２４１ＮＯ）。
【０１２１】
使用可能時間帯及び使用可能日が適正であると判定された場合（ステップＳ２４１ＹＥＳ）、引き続き、計数制御部３１５１は、貯留量検知センサ５１３の検知出力を監視し、該検知出力に基づいて貯留タンク５１２が満杯であるか否かをチェックする（ステップＳ２４２）。
【０１２２】
ここで、貯留タンク５１２が満杯でないと判定された場合（ステップＳ２４２ＮＯ）、引き続き、計数制御部３１５１は、詰まり検知センサ５１４の知出力を監視し、該検知出力に基づいて玉詰まりが発生しているか否かを判定する（ステップＳ２４３）。
【０１２３】
玉詰まりが発生していないと判定された場合（ステップＳ２４３ＮＯ）、引き続き、計数制御部３１５１は、異常検出部３０７の検知出力を監視し、該検知出力に基づいて異常が発生しているか否か判定する（ステップＳ２４４）。
【０１２４】
そして、異常が発生していないと判定された場合（ステップＳ２４４ＮＯ）、計数制御部３１５１は、他条件が適正であると判定し（ステップＳ２４５＝図１０におけるステップＳ２１８ａＹＥＳ）、シャッタ３０２を開放する制御（ステップＳ２１９ａ）に進む。
【０１２５】
これに対して、使用可能時間帯及び使用可能日が不適正であると判定された場合（ステップＳ２４１ＮＯ）、貯留タンク５１２が満杯であると判定された場合（ステップＳ２４２ＹＥＳ）、玉詰まりが発生していると判定された場合（ステップＳ２４３ＹＥＳ）、及び異常が発生していると判定された場合（ステップＳ２４４ＹＥＳ）、計数制御部３１５１は、上記のうちのいずれか１つの判定がなされた時点で他条件が不適正あると判定し（ステップＳ２４６＝図１０におけるステップＳ２１８ａＮＯ）、エラー報知処理（ステップＳ２３１ａ）に進む。
【０１２６】
なお、図１１の他条件適否判定処理で説明した、貯留タンク５１２が満杯か否か、玉詰まりが発生しているか否か、及び異常が発生しているか否かの各判定については、ＩＣタグ３３のタグ情報の読み取りをトリガとして開始した一連の計数制御（図１０参照）中に店コード及び担当者コードのチェックに続いて実施するのに限らず、玉計数機３０の運用中、これらの状態を常時監視し、貯留タンク５１２の満杯時、玉詰まりあるいは異常の発生時にはその時点で計数を禁止するように制御するようにしても良い。
【０１２７】
ここで、例えば、貯留タンク５１２の満杯による計数禁止後は、玉の循環によって貯留タンク５１２内の貯留量が所定値を下回った段階で利用可能状態に戻し、玉詰まりまたは異常発生による計数禁止後は、店員によって玉の詰まりまたは異常が解除されることにより利用可能状態に戻すことになる。
【０１２８】
また、図１１に示す他条件適否判定処理においては、計数制御部３１５１が、図３に示す貯留量検知センサ５１３、詰まり検知センサ５１４からその検知出力を直接取り込むようにしているが、これらの検知出力をＴ／Ｃ１０経由で取り込むようにしても良い。
【０１２９】
また、図１０に示した計数制御においては、玉計数機３０で先に店コード、担当者コード及び他条件の適否判定を実施し、これらの全ての条件が適正であると判定されることによりシャッタ３０２を開放し、その後に玉の投入を受入れて玉計数を開始するようにしているが、シャッタ３０２を開放する前に玉の投入を受入れても良い。
【０１３０】
この場合、投入された玉は玉投入部３２１に保持され、その後、シャッタ３０２が開放された時点で玉取込口３２２より取り込まれて（流れ出して）計数される。
【０１３１】
また、本実施例では、玉計数機３０で先に店コード、担当者コード及び他条件の適否判定を実施し、これらの全ての条件が適正であると判定されることによりシャッタ３０２を開放して玉計数を開始する（図１０参照）のに限らず、例えば、店コードの適正判定後に玉計数を開始しておき、後で、担当者コードや他条件が不適正を判定され場合に、それまでに玉計数が終了していても、その時点以降動作不可となってレシート発行処理に進めなくするように制御しても良い。
【０１３２】
この場合、玉計数機３０では、既に終了している玉計数により取得した玉計数値はメモリ部３１１に記憶しておき、適正な復旧処理がなされた後に、レシート発行機３５にレシート発行指示を行い、レシートを発行させ得る構成としても良い。
【０１３３】
このように、本実施例のシステムでは、玉計数機３０に担当者コード及び店コードを含む計数許可条件を保持させる一方で、計数担当者には予め担当者コード及び店コードを記録したＩＣタグ３３を携帯させ、計数担当者が、ＩＣタグ３３を近接させることによりＩＣタグ読取／書込部３０９がタグ情報（担当者コード＋店コード）を読み取り、計数許可条件として保持している担当者コード及び店コードとそれぞれ一致するか否かに応じて計数を許可するか否かを判定し、読取った担当者コード及び店コードと保持している担当者コード及び店コードが各々一致して計数を許可する判定がなされた場合にシャッタ３０２を開放して計数を実行するものである。
【０１３４】
要するに、本実施例に係わる玉計数機３０は、玉の通路に対して閉鎖または開放状態に駆動可能で上記閉鎖状態に駆動することで玉の計数を禁止状態にするシャッタ３０２を禁止状態設定手段として備える一方、ＩＣタグ読取／書込部３０９が、近接されたＩＣタグ３３からタグ情報（担当者コード及び店コード）を読み取り、該ＩＣタグ３３から読取られたタグ情報と予めメモリ部３３に保持された計数許可条件情報とを照合し、読取られたタグ情報が適正である場合に上記禁止状態設定手段の禁止状態を解除（シャッタ３０２の開放）して計数動作を行なうようにしたものである。
【０１３５】
かかる構成によれば、計数担当者が携帯するＩＣタグ３３に記憶されている担当者コードが、計数操作を行なうとする玉計数機３０に計数許可条件として記憶されている限り、計数担当者はＩＣタグ３３を当該玉計数機３０のＩＣタグ読取／書込部３０９に近接させるだけで計数操作を行えることになり、従来の鍵カード式の計数機のように、カード挿入→情報読取→カード返却という操作は不要となり、計数操作を簡略化できしかも計数時間も短縮できる。
【０１３６】
また、本実施例のシステムでは、玉計数機３０に会員カード端末機等のカード処理機を接続し、該カード処理機が、挿入された会員カードからカードＩＤ（会員コード）を読取る一方、玉計数機３０から玉計数値を取得し、カードＩＤと玉計数値をＴ／Ｃ１０に送信して、該Ｔ／Ｃ１０に、当該カードＩＤに対応して当該玉計数値を貯玉として会員管理テーブル１３１に登録する貯玉処理を行なう構成も採用し得るが、この場合も、玉計数機３０で玉計数を開始する操作はＩＣタグ３３をかざすだけで済み、後の貯玉の処理では会員カードのみについてカード挿入、情報読取、カード返却という操作を行なえば良く、貯玉処理の操作手順も極めて簡略になる。
【０１３７】
また、本実施例に係わる玉計数機３０の計数制御によれば、各担当者が自分の担当者コードを記憶したＩＣタグ３３を携帯している限りは、当該ＩＣタグ３３を用いて計数操作を行なえるのは自分の担当者コードを含む計数許可条件が予め記憶されている玉計数機３０に限られ、それ以外の玉計数機３０は計数操作できないことになる。
【０１３８】
例えば、図９の例の場合には、各担当者は実線で結ばれる玉計数機３０に対してのみ計数を許可されることになり、これによって、各担当者毎の計数エリアは自ずと決まってくる。
【０１３９】
従って、管理者側では、計数担当者ＤＢ１３３上での、玉計数機３０とこれを担当する担当者の担当者コードの対応付けによって、各担当者毎に計数可能エリアの管理が行なえる。
【０１４０】
また、他店のＩＣタグを用いた場合も、店コードチェックで不適正と判定されるため、他店のＩＣタグを用いた不正計数も防止できる。
【０１４１】
更に、本実施例では、図１１に具体例を挙げたように、担当者コード及び店コード以外の条件（他条件）についても適否を判定し、当該他条件が不適正あった場合には、たとえ担当者コード及び店コードが適正であっても、シャッタ３０２を閉じたままとして計数を禁止するように制御している。
【０１４２】
例えば、本実施例に係わる玉計数機３０では、他条件の１つとして、各担当者コードに対応する使用可能時間帯や使用可能日を保持しており、担当者コードが適正あっても、該担当者コードに対応する使用可能時間帯や使用可能日が不適正であれば、玉計数を行わないように制御している（図１１のステップＳ２４１参照）。
【０１４３】
この制御に係わる使用可能時間帯としては、例えば、開店直後の所定時間（例えば、１時間）、及び閉店直後の所定時間（例えば、１５分）が含まれないように設定することが望ましい。
【０１４４】
具体的な例としては、閉店時刻が２２時（２２：００）で開店時刻が１０時（１０：００）の場合、使用可能時間帯は２２：１５〜翌日の１１：００までの時間帯を除いた時間帯（１１：００〜２２：１５）の中から各担当者毎の使用可能時間帯を設定すれば良い。
【０１４５】
この場合、各担当者毎に勤務時間を考慮して使用可能時間（及び曜日）を設定することで、各担当者が勤務時間（及び曜日）外には計数操作を行なえないようすることができ、各担当者の勤務時間（及び曜日）に応じた計数管理が実現できる。
【０１４６】
また、使用不可に設定した上記時間帯（２２：１５〜１１：００）は、計数動作が行なわれ得ない時間帯であるため、この時間帯を使用不可に設定することにより、店員や侵入者による不正行為を防止することができる。
【０１４７】
特に、開店直後の所定時間帯（１０：００〜１１：００）、及び閉店直後の所定時間帯（２２：００〜２２：１５）も取引不可時間帯に含まれるようにしているため、遊技店内に店員（計数担当者）がいる中で、計数不能な環境下であるにもかかわらず計数を行ってしまうことを規制でき、実情に沿った混乱のない運用を行なうことができる。
【０１４８】
また、本実施例の玉計数機３０では、上記他条件の１つとして、玉回収通路中の貯留タンク５１２に設けられた貯留量検知センサ５１３の検知出力を監視し、貯留タンク５１２が満杯であると判定された場合にも玉計数を行わないように制御している（図１１のステップＳ２４２参照）。
【０１４９】
この制御によれば、貯留タンク５１２が満杯にもかかわらず、玉計数機３０から計数完了後の玉が送り込まれて玉詰まりを招来するという事態を回避できる。
【０１５０】
また、本実施例の玉計数機３０では、上記他条件の１つとして、玉回収通路中に設けられた詰まり検知センサ５１４の検知出力を監視し、玉回収通路の玉詰まりが発生していると判定された場合にも玉計数を行わないように制御している（図１１のステップＳ２４３参照）。
【０１５１】
この制御によれば、玉回収通路の玉詰まりが発生していて、計数不能な環境下であるにもかかわらず計数を行ってしまうことを規制でき、実情にあった混乱のない運用を行なうことができる。
【０１５２】
また、本実施例の玉計数機３０では、上記他条件の１つとして、異常検出部３０７の検知出力を監視し、異常が発生していると判定された場合にも玉計数を行わないように制御している（図１１のステップＳ２４４参照）。
【０１５３】
ここで、異常検出部３０７は、例えば、異常な電波の検出、異常な振動の検出、玉計数機３０本体部のカバーの開放の検出等の種々の異常検出機能で実現できる。従って、異常検出部３０７を上記のいずれかの異常検出機能で構成し、該異常検出部３０７の検知出力から異常の発生が認識された場合に、シャッタ３０２を閉鎖して計数を行わないように制御することで、何者かによって異常な電波が発信されている、玉計数機３０が持ち上げられることで異常な振動がある、玉計数機３０本体部のカバーが開放されている等、不正な行為が行われていると予想される状況をいち早く認識して該不正行為を阻止することができる。
【０１５４】
次に、本実施例に係わるシステムの管理装置１０における各玉計数機３０からの利用データ収集処理について説明する。
【０１５５】
図１２は、本実施例に係わる遊技媒体計数システムにおける計数利用データの処理手順を示す制御シーケンスを示す図である。
【０１５６】
なお、図１２では玉計数機３０は１台しか開示していないが、実際には、複数の玉計数機（３０Ａ，３０Ｂ，３０Ｃ，…）が存在し、Ｔ／Ｃ１０との間でそれぞれ同等の処理を行う。
【０１５７】
図１２に示すように、玉計数機３０では、計数制御部３１５１が、図１０に示す処理手順に沿って計数制御を実行する毎に、当該計数制御に係わる利用データを通信Ｉ／Ｆ部３１４からＬＡＮ８０を通じてＴ／Ｃ１０に送信する（ステップＳ２２８ａ）。
【０１５８】
ここで、玉計数機３０からＴ／Ｃ１０に送信される利用データは、例えば、計数制御（取引）が行なわれた時刻（取引時刻）、自装置の計数機番号、計数制御起動のトリガとなるＩＣタグ３３の近接時にＩＣタグ読取／書込部３０９により該ＩＣタグ３３から読取られた担当者コード及び該担当者コードに対応する担当者の氏名、玉計数値が正常に実施されたか否かを示す成否事象、玉計数が正常に行なわれた場合における玉計数値、該玉計数値に基づきレシート発行機３５から発行されたレシートのレシート番号等が含まれる。
【０１５９】
なお、上記利用データ中の担当者の氏名は、玉計数機３０がメモリ部３３１に保持している計数許可条件の中から、ＩＣタグ読取／書込部３０９によってＩＣタグ３３から読取られた担当者コードをキーに検索したものを付加して送信する。
【０１６０】
また、ＩＣタグ読取／書込部３０９によってＩＣタグ３３からタグ情報を読み込んだ後、担当者コード、店コードあるいは他条件の適否が判定される前に計数を開始し、これらの条件のいずれかが適正でない場合にレシート発行を停止する（玉計数値だけは記憶しておく）と共に、後で所定の復旧操作が行われた場合に玉計数値に基づき玉数レシートを発行するように運用設定された玉計数機３０では、例えば、玉計数開始後、担当者コードに対応する使用可能時間が不適正であって玉数レシートの発行が一旦停止され、その後に上記復旧操作により玉数レシートが発行された場合、担当者コードに対応する担当者氏名については担当者エラーを示す情報（例えば、？？？？等）を付加して送信する。
【０１６１】
一方、Ｔ／Ｃ１０では、制御部１１が、玉計数機３０から送られてくる利用データを通信Ｉ／Ｆ部１６を通じて受信し（ステップＳ３０１）、該受信した利用データに基づき利用ログＤＢ１３５を作成、更新する処理を行う（ステップＳ３０２）。
【０１６２】
図１３は、Ｔ／Ｃ１０のメモリ１３内に構築された利用ログＤＢ１３５の一例を示す図である。
【０１６３】
図１３からも分かるように、Ｔ／Ｃ１０の制御部１１では、各玉計数機３０から利用データが受信される毎に取引番号を発行し、該取引番号に対応付けて、受信した利用データ中の各項目〔取引時刻、計数機番号（号機）、担当者コード、担当者の氏名、計数値、成否事象、レシート番号〕の情報を記憶するという処理を利用データ受信の都度行なうことにより利用ログＤＢ１３５を順次更新していく。
【０１６４】
ここで、玉計数機３０から受信された利用データが、上述した如く、使用可能時間の不適合等によって一旦玉数レシートの発行が停止され、その後の復旧操作を経て送られてきた利用データ（図１３の例では、取引番号４に相当）である場合、制御部１１では、該利用データ中の担当者の氏名の情報（？？？？）から担当者エラーであることを認識し、利用ログＤＢ１３５の“備考”の欄にその旨を示す情報“担当者エラー”を書込む。
【０１６５】
このように、Ｔ／Ｃ１０では、各玉計数機３０からの利用データの受信の都度、上記ステップＳ３０１〜Ｓ３０２の処理を実施して利用ログＤＢ１３５を更新させる。
【０１６６】
また、Ｔ／Ｃ１０では、上記利用ログＤＢ１３５の更新の処理と並行して、集計／検索処理部１１１が、利用ログＤＢ１３５内に記憶されたデータ（各玉計数機３０からの収集データ）の集計及び検索処理（後述するステップＳ３３１〜Ｓ３３６参照）を実行する。
【０１６７】
上記集計処理を実行するためには、操作者は、入力装置１４を操作することによって、所定の集計条件を指定した集計要求を入力する。
【０１６８】
ここで、例えば、各担当者毎の所定期間内の利用データの集計を希望する場合には、上記集計条件として、“利用データ集計”と、“担当者（担当者コード、または氏名）”と、“所定期間”を併せて指定する。
【０１６９】
また、利用回数や計数値の合計値等についてのランキングの集計を希望する場合には、上記集計条件として、“ランキング集計”と、“ランキング対象項目：（利用回数、計数値合計等）”を併せて指定する。
【０１７０】
また、上記検索要求を実行するためには、操作者は、入力装置１４を操作することによって、所定の検索条件（検索キー）を指定した検索要求を入力する。
【０１７１】
例えば、取引番号、計数機番号、使用時間帯、レシート番号等についての取引内容を検索したいのであれば、上記検索キーとして、それぞれ、“取引番号ｎ１”、“計数機番号ｎ２”、“使用時間帯（ｎ３時〜ｎ４時）”、“レシート番号ｎ５”をそれぞれ入力する。
【０１７２】
図１２において、Ｔ／Ｃ１０の集計／検索処理部１１１は、ステップＳ３０１〜Ｓ３０２の利用ログＤＢ１３５の更新処理と並行して、集計要求または検索要求が入力されたか否かを監視している（ステップＳ３３１）。
【０１７３】
ここで、集計要求または検索要求が入力された場合（ステップＳ３３１ＹＥＳ）、集計／検索処理部１１１は、当該集計要求または検索要求によって指定された各条件（収集条件または検索キー）に基づき、それぞれ、利用ログＤＢ１３５内のデータの集計または検索を行ない（ステップＳ３３２）、該集計結果または検索結果を表示装置１５に表示する（ステップＳ３３３）。
【０１７４】
次いで、集計／検索処理部１１１は、入力装置１４から処理終了の指示が入力されたか否かをチェックし（ステップＳ３３４）、処理終了の指示があれば（ステップＳ３３４ＹＥＳ）、ステップＳ３３１に戻り、集計要求または検索要求の入力監視を続ける。
【０１７５】
これに対して、処理終了の指示がなかった場合（ステップＳ３３４ＮＯ）、集計／検索処理部１１１は、入力装置１４から印刷要求が指示されたか否かをチェックする（ステップＳ３３５）。
【０１７６】
ここで、印刷要求が指示されない場合（ステップＳ３３５ＮＯ）、ステップＳ３３３に戻り、印刷要求が指示された場合（ステップＳ３３５ＹＥＳ）、上記ステップＳ３３３で表示している集計結果または検索結果をプリンタ１７により帳票として印刷出力させ（ステップＳ３３６）、その後、ステップＳ３３１に戻る。
【０１７７】
次に、集計結果及び検索結果の具体例について説明する。
【０１７８】
図１４は、上記集計条件として、“利用データ集計”と、“担当者＝（担当者コード＝００１：山本太郎）”と、“所定期間＝本日〔１日（いちにち）分〕”が指定された集計要求に基づく集計結果の出力例（表示または印刷）１３５１を示す図である。
【０１７９】
この集計要求に対して、集計／検索処理部１１１では、利用ログＤＢ１３５に記憶された１日分の取引データの中から“担当者氏名＝山本太郎”に該当する全取引データを抽出すると共に、該抽出された全取引データを対象に利用回数と計数値の総数を集計し、上記抽出した取引データ、集計された利用回数及び計数値総数を帳票の形にまとめて出力する。
【０１８０】
この例の場合、操作者（例えば、管理者）は、上記集計結果１３５１を見ることによって、担当者“山本太郎”が、本日、担当の玉計数機３０をどの程度利用したか（操作したか）を一目で把握することができる。
【０１８１】
図１５は、上記集計条件として、「“ランキング集計”と、“ランキング対象項目＝（利用回数）”」が指定された集計要求に基づく集計結果の出力例（表示または印刷）１３５２を示す図である。
【０１８２】
この集計要求に対して、集計／検索処理部１１１では、利用ログＤＢ１３５に記憶された全取引データを対象に各担当者毎の利用回数をそれぞれ集計し、次いで、利用回数の集計値の多い順に各担当者の情報（担当者コード及び氏名）とその利用回数（集計値）を各順位の順番に並べ替えたランキング集計を行い、該集計結果を利用回数ランキング表の形で出力する。
【０１８３】
この例の場合、操作者（例えば、管理者）は、上記ランキング集計結果（利用回数ランキング表）１３５２を見ることによって、“山本太郎”、“田中三郎”、“鈴木次郎”の順に利用回数（玉計数機３０を計数操作した回数）が多いことと、その利用回数とを一目で把握することができる。
【０１８４】
図１６は、“取引番号＝００３”という検索キーが指定された検索要求に基づく検索結果の出力例（表示または印刷）１３５３を示す図である。
【０１８５】
この検索要求に対して、集計／検索処理部１１１では、入力された検索キー“取引番号＝００３”を用いて利用ログＤＢ１３５に記憶されたデータを検索することにより、“取引番号＝００３”に対応する取引データを抽出し、該抽出した取引データを帳票の形で出力する。
【０１８６】
この例の場合、操作者（例えば、管理者）は、上記検索結果１３５３を見ることによって、“取引番号＝００３”の取引においては、２号機で“山本太郎”が１１時３２分に計数を行い、正常に“４９７８２”個の計数がなされ、レシート番号＝２−００１の玉数レシートが発行されていることを認識することができる。
【０１８７】
このように、本実施例のシステムでは、Ｔ／Ｃ１０が、各玉計数機３０から収集した利用データを基に利用ログＤＢ１３５を作成すると共に、所定の条件を指定した集計要求に基づき、利用ログデータベースに登録された利用データを上記所定の条件に基づき集計する集計機能、及び所定の検索条件（検索キー）を指定した検索要求に基づき、利用ログデータベースに登録された利用データを上記検索キーに基づき検索する検索機能を有している。
【０１８８】
これにより、管理者は、上記集計機能を利用して、例えば、所定期間内の担当者毎の利用データの集計結果（図１４参照）を出力させることで、どの担当者がどの程度の回数だけ計数作業を行なったかを容易に把握することができる。
【０１８９】
また、上記集計機能を利用して、例えば、玉計数機３０の利用回数や、計数値の合計値等のランキング表（図１５参照）を出力させることで、どの担当者が良く働いているかを簡単に把握でき、担当者の勤務評価に利用することができる。
【０１９０】
また、上記検索機能を利用すれば、利用データに関する一部の情報を検索キーとして入力することにより、該検索キーに関連する一連の情報を抽出することができる。
【０１９１】
この検索機能の活用方法としては、例えば、不自然な利用データがある場合、当該取引の情報（取引番号等）を入力し、該取引の情報に関連する一連の情報を検索結果（図１６参照：取引番号を検索キーとした例）として出力させることで、担当者名等を確認でき、不正が行われていないかどうかの判定が極めて容易に行なえる。
【実施例２】
【０１９２】
実施例１では、計数担当者ＤＢ（１３３）の設定と、各玉計数機３０からの利用データの収集をＴ／Ｃ１０が行う例を挙げているが、これに限らず、景品管理装置で、計数担当者ＤＢの設定と、各玉計数機３０からの利用データの収集を行なうようにしても良い。
【０１９３】
但し、この場合には、以下のシステム要件を勘案する必要がある。
【０１９４】
周知のように、管理コンピュータ（Ｔ／Ｃ１０）、景品管理装置、レシート発行機３５はどの遊技ホールにも設置されている。しかしながら、レシート発行機３５には、景品管理装置と接続されるタイプと、接続されないタイプがある。
【０１９５】
前者のタイプのレシート発行機３５が採用されるシステムであれば、Ｔ／Ｃ１０と景品管理装置の両方で、計数担当者ＤＢの設定と、各玉計数機３０からの利用データの収集処理を行えるが、後者のタイプのレシート発行機３５が採用されるシステムであれば、計数担当者ＤＢの設定と、各玉計数機３０からの利用データの収集処理はＴ／Ｃ１０のみしか行なえない。
【０１９６】
このように、計数担当者ＤＢの設定と、各玉計数機３０からの利用データの収集処理を、Ｔ／Ｃ１０と景品管理装置の両方で行えるシステムと、Ｔ／Ｃ１０でしか行なえないシステムとがあり、通常は、遊技ホールによって一方のシステムが導入される。
【０１９７】
従って、計数担当者ＤＢの設定と、各玉計数機３０からの利用データの収集を景品管理装置で行なう実施例２に係わる遊技媒体計数システムは、図１７に示すように、Ｔ／Ｃ１０と、該Ｔ／Ｃ１０に接続される景品管理装置６５と、該景品管理装置６５に接続されるレシート発行機３５と、該レシート発行機３５に接続される玉計数機３０とから成る構成のシステムに限って採用できるものである。
【０１９８】
この実施例に係わるシステムにおける景品管理装置６５の処理動作を、図７、図１０及び図１２を援用して説明する。
【０１９９】
本実施例に係わる景品管理装置６５では、運用準備段階において、図７におけるＴ／Ｃ１０が行なった処理手順と同様の手順で、登録担当者（例えば、管理者）が、入力部を操作してメモリ部内に計数担当者ＤＢ１３３（便宜的に、１３３ａとする）を登録し（ステップＳ１０１）、次いで、該計数担当者ＤＢ１３３ａに登録された情報の中から、各玉計数機３０毎に対応付けられた担当者コードと関連する設定情報（使用可能時間帯等）を抽出し、該担当者コード及び関連する設定情報を計数許可条件情報として対応する各玉計数機３０にそれぞれ送信する（ステップＳ１０２）。
【０２００】
一方、各玉計数機３０では、通信相手がＴ／Ｃ１０である時と同様、管理者によってＩＣタグ用の店コード（００１〜９９９）をメモリ部３１１に設定した後、景品管理装置６５から送られてくる計数許可条件情報を受信（ステップＳ２０２）し、メモリ部３１１に該計数許可条件情報を記憶（ステップＳ２０３）した後、ＩＣタグ読取／書込部３０９にＩＣタグ３３を接近させ、メモリ部３１１に保持されている担当者コード及び店コードをＩＣタグ３３のＩＣチップ３３３に書込む（ステップＳ２０４）処理を行う。
【０２０１】
このようにして運用準備が整った後、玉計数機３０は、図１０に示した処理手順に従って計数処理を実施し、一連の処理を経てステップＳ２２８ａに至ると、それまでの計数制御における利用データを景品管理装置６５に送信する。
【０２０２】
一方、景品管理装置６５では、図１２におけるＴ／Ｃ１０が行なった処理手順と同様の手順で、玉計数機３０から送られてくる利用データを受信し（ステップＳ３０１）、利用ログＤＢ１３５（便宜的に、１３５ａとする）を構築する。
【０２０３】
また、景品管理装置６５は、利用ログＤＢ１３５ａを対象としたＴ／Ｃ１０と同様の集計機能及び検索機能を有し、上記利用ログＤＢ１３５ａの更新処理と並行して、集計要求または検索要求によって指定された各条件（収集条件または検索キー）に基づき、それぞれ、利用ログＤＢ１３５ａ内のデータの集計または検索を行ない、該集計結果または検索結果を表示装置１５に表示し、必要に応じて該集計結果または検索結果をプリンタ１７で印刷出力する処理（ステップＳ３３１〜Ｓ３３６）を実施する。
【０２０４】
このように、本実施例においては、Ｔ／Ｃ１０に代わって、景品管理装置６５が、計数担当者ＤＢ１３３ａの設定と、各玉計数機３０からの利用データの収集を行なうため、Ｔ／Ｃ１０における当該処理に係わる処理負担を軽減できる。
【実施例３】
【０２０５】
実施例１、２では、別体で構成されるレシート発行機３５を接続する玉計数機３０の例を挙げているが、本発明は、レシート発行機構やカード処理部を内蔵する一体型玉計数機にも適用可能である。
【０２０６】
図１８は、本実施例の遊技媒体計数システムに用いる一体型玉計数機３６の機能構成を示すブロック図である。図１８において、図４に示した実施例１に係わる玉計数機３０の各部と同様の機能を果たす部分には同一の符号を付している。
【０２０７】
ここで、一体型玉計数機３６が持つ玉計数機３０とは異なる構成要素について説明する。
【０２０８】
本実施例に係わる一体型玉計数機３６には、玉計数機３０とは異なる構成要素として、表示パネルに情報を表示する機能と、表示パネルに表示されたボタン等を例えば手で触るなどにより玉計数等に係わる各種情報を入力する機能を有する表示／操作部３６１、計数制御部３１５１ａからのレシート発行指示に応じて玉数レシートを発行する計数レシート発行部３６２、会員カードを受け入れて貯玉等の処理を行うカード処理部３６３が備わる。
【０２０９】
また、一体型玉計数機３６では、計数レシート発行部３６２及びカード処理部３６３を内蔵している構造上、制御部３１５内の計数制御部３１５１ａは、実施例１に示した制御に加えてこれら両者を制御する機能を有する。
【０２１０】
また、通信Ｉ／Ｆ部３１４は、別体から成るレシート発行機３５とは通信を行う必要はなく、Ｔ／Ｃ１０、貯留量検知センサ５１３、詰まり検知センサ５１４等の通信を行う機能構成を有する。つまり、一体型玉計数機３６では、玉計数制御に基づく利用データは、レシート発行機３５を介さず、Ｔ／Ｃ１０に直接送信される。
【０２１１】
また、一体型玉計数機３６では、玉投入部には手動で動かす蓋部材が配置される。但し、その内部には、上記実施例で示した玉計数機３０と同様のモータ駆動によるシャッタ機構が配置されている。
【０２１２】
なお、本実施例に係わる一体型玉計数機３６は、例えば、図１のシステム構成中のその他の機器（６０）の１つとして設置されるか、あるいは、各パチンコ島Ａ，Ｂ，Ｃ，…内の玉計数機３０Ａ，３０Ｂ，３０Ｃ，…の代わりに若しくはこれらと混在して設置される。
【０２１３】
上記の如く配置された一体型玉計数機３６を有する本実施例のシステムの処理動作を、図７及び図１０を援用して説明する。
【０２１４】
このシステムでは、運用準備段階において、Ｔ／Ｃ１０は、一体型玉計数機３６との間で、図７に示す玉計数機３０が相手先である時と同様の通信制御を行なう。
【０２１５】
すなわち、Ｔ／Ｃ１０では、登録担当者（例えば、管理者）が、入力装置１４を操作してメモリ１３内に計数担当者ＤＢ１３３（便宜的に、１３３ｃとする）を登録し（ステップＳ１０１）、次いで、該計数担当者ＤＢ１３３ｃに登録された情報の中から、各一体型玉計数機３６毎に対応付けられた担当者コードと関連する設定情報（使用可能時間帯等）を抽出し、該担当者コード及び関連する設定情報を計数許可条件情報として対応する各一体型玉計数機３６にそれぞれ送信する（ステップＳ１０２）。
【０２１６】
この場合、Ｔ／Ｃ１０に登録される計数担当者ＤＢ１３３ｃは、例えば、図８に示されるデータベースにおいて、計数機番号として各一体型玉計数機３６の計数機番号（例えば、１０１，１０２，１０３，…）を設定し、各計数機番号に対応して担当者コードや使用時間帯等の情報が登録されたものであり、各一体型玉計数機３６には、自装置の機番号（１０１，１０２，１０３，…）に対応する計数許可条件が配布される。
【０２１７】
一方、各一体型玉計数機３６では、図７における玉計数機３０と同様、管理者によってＩＣタグ用の店コード（００１〜９９９）をメモリ部３１１に設定した後、Ｔ／Ｃ１０から送られてくる計数許可条件情報を受信（ステップＳ２０２）し、メモリ部３１１に該計数許可条件情報を記憶（ステップＳ２０３）した後、ＩＣタグ読取／書込部３０９にＩＣタグ３３を接近させ、メモリ部３１１に保持されている担当者コード及び店コードをＩＣタグ３３のＩＣチップ３３３に書込む（ステップＳ２０４）処理を行う。
【０２１８】
このようにして運用準備が整った後、一体型玉計数機３６は、図１０に示した玉計数機３０が行ったと同様の処理手順に従って計数処理を実施し、一連の処理を経てステップＳ２２８ａに至ると、それまでの計数制御における利用データをＴ／Ｃ１０に送信する。
【０２１９】
但し、一体型玉計数機３６の場合、上記一連の計数制御（図１０参照）において、計数制御部３１５１ａは、玉の計数終了後、レシート発行指示（ステップＳ２２３ａ）を計数レシート発行部３６２に対して行う。
【０２２０】
計数レシート発行部３６２は、上記レシート発行指示に基づき、上述したレシート発行機３５と同様の玉数レシートを発行する。
【０２２１】
また、一体型玉計数機３６では、玉の計数終了後、カード処理部３６３のカード挿入口（図示せず）から会員カードが挿入されると、カード処理部３６３は、当該会員カードを受入れ、この状態で所定の貯玉指示操作が行われると、貯玉処理を行う。
【０２２２】
この貯玉処理では、カード処理部３６３は、計数制御部３１５１ａから玉計数値を取得し、操作／表示部３６１の表示画面に、玉計数値と貯玉を行うか否かを選択するガイダンスを表示し、ここで、貯玉を行うことが選択されると、挿入された会員カードからカードＩＤ（会員コード）を読み取り、該カードＩＤと上記玉計数値とをＴ／Ｃ１０に送信する。
【０２２３】
一方、Ｔ／Ｃ１０は、カード処理部３６３からカードＩＤと玉計数値を受信すると、会員管理テーブル１３１内で、当該カードＩＤに対応する貯玉数を当該カードＩＤと共に受信した玉計数値に更新する処理（貯玉処理）を行い、該貯玉処理が正常に終了すると、正常終了通知とカード排出指示をカード処理部３６３に送信する。
【０２２４】
カード処理部３６３は、Ｔ／Ｃ１０から受信した正常終了通知に基づき上記表示画面上に正常終了の旨を表示すると共に、同時に受信したカード排出指示に基づき挿入中の会員カードを返却する。
【０２２５】
このように、本実施例の一体型玉計数機３６では、上記実施例の玉計数機３０と同様、ＩＣタグ３３から読取った店コード及び担当者コードが不適正な場合には玉計数を行なわないように制御することによって、他の担当者のＩＣタグ３３を用いた不正な計数を防止することが可能となる。
【０２２６】
また、計数を開始するためには、一体型玉計数機３６のＩＣタグ読取／書込部３０９にＩＣタグ３３をかざせば良いだけであるから、会員カードを用いた貯玉処理に際しても、従来の鍵カード式のように、会員カードばかりでなく、計数カードについてもカード挿入→情報読取→カード返却という手順で操作するという必要はなくなり、会員カードを用いた貯玉の処理操作は従来に比べて格段に簡単になる。
【実施例４】
【０２２７】
上記各実施例では、遊技媒体計数装置として玉計数機を用いる例を挙げたが、本発明は、玉以外の遊技媒体、例えば、スロット機により獲得したメダルを計数するメダル計数機に適用可能である。
【０２２８】
図１９は、実施例４に係わる遊技媒体計数システムに用いるメダル計数機７０の機能構成を示すブロック図である。
【０２２９】
図１９に示すように、本実施例に係わるメダル計数機７０は、表示パネルに情報を表示する機能と、表示パネルに表示されたボタン等を例えば手で触るなどによりメダル計数等に係わる各種情報を入力する機能を有する表示／操作部７０１、メダル投入部に投入されたメダルを検知するメダル検知部７０２、メダル投入部に投入されたメダルを繰り出すための回転動作を行なう計数円板７０３、計数円板７０３を回転駆動したり該回転駆動を停止するように駆動する駆動モータ７０４、計数円板７０３から繰り出されるメダルを１個ずつ検知して計数パルスを出力する計数センサ７０５、計数完了後、特殊景品の交換価値に満たないメダルを返却するメダル返却部７０６、異常電波、異常振動あるいはカバー開放等の異常を検出する異常検出部７０７、店員が携帯するＩＣタグ３３が近接された時に該ＩＣタグ３３からＩＣタグ情報を読み出すと共に、該近接されたＩＣタグ３３に情報を書き込むＩＣタグ読取／書込部７０８、カレンダー機能を有する計時部７０９、各種情報を記憶するメモリ部７１０、計数異常等を報知するための警告音を出力するブザー７１１、各部に電源を供給する電源部７１２、Ｔ／Ｃ１０、レシート発行機３５、メダル回収機構等との通信を行う通信インタフェース（Ｉ／Ｆ）部７１３、メダル計数機７０全体の制御を行う制御部７１５を具備して構成される。
【０２３０】
制御部７１５には、計数担当者が携帯しているＩＣタグ３３をＩＣタグ読取／書込部７０８に近接した時に該ＩＣタグ３３からＩＣタグ読取／書込部７０８によって読取られたタグ情報と予め保持している計数許可条件とを照合して計数が可能であるか否かを判定し、計数可能であると判定された場合には計数円板７０３を回転駆動してメダルの計数を行い、計数不可であると判定された場合には計数円板７０３を回転駆動を停止してメダルの計数を行わないように制御する計数制御部７１５１が備わる。
【０２３１】
このメダル計数機７０は、例えば、図１におけるパチンコ島（島Ａ，Ｂ，Ｃ，…）とは別のエリアであるスロット島（図示せず）内に、複数のスロット機、各スロット機に対応してメダルを貸し出すメダル貸出機、レシート発行機３５、メダル回収機構等と共に設置され、Ｔ／Ｃ１０やレシート発行機３５等と通信可能に構成されている。
【０２３２】
上記の如く配置されたメダル計数機７０を有する本実施例のシステムの運用準備段階の動作を図７を援用して説明する。
【０２３３】
この運用準備段階において、Ｔ／Ｃ１０は、メダル計数機７０との間で、図７に示す玉計数機３０が相手先である時と同様の通信制御を行なう。すなわち、Ｔ／Ｃ１０では、登録担当者（例えば、管理者）が、入力装置１４を操作してメモリ１３内に計数担当者ＤＢ１３３（便宜的に、１３３ｄとする）を登録し（ステップＳ１０１）、次いで、該計数担当者ＤＢ１３３ｄに登録された情報の中から、各メダル計数機７０毎に対応付けられた担当者コードと関連する設定情報（使用可能時間帯等）を抽出し、該担当者コード及び関連する設定情報を計数許可条件情報として対応する各メダル計数機７０にそれぞれ送信する（ステップＳ１０２）。
【０２３４】
この場合、Ｔ／Ｃ１０に登録される計数担当者ＤＢ１３３ｄは、例えば、図８に示されるデータベースにおいて、計数機番号として各メダル計数機７０の計数機番号（例えば、２０１，２０２，２０３，…）を設定し、各計数機番号に対応して担当者コードや使用時間帯等の情報が登録されたものであり、各メダル計数機７０には、自装置の機番号（２０１，２０２，２０３，…）に対応する計数許可条件が配布される。
【０２３５】
一方、各メダル計数機７０では、図７における玉計数機３０と同様、管理者によってＩＣタグ用の店コード（００１〜９９９）をメモリ部７１０に設定した後、Ｔ／Ｃ１０から送られてくる計数許可条件情報を受信（ステップＳ２０２）し、メモリ部７１０に該計数許可条件情報を記憶（ステップＳ２０３）した後、ＩＣタグ読取／書込部７０８にＩＣタグ３３を接近させ、メモリ部７１０に保持されている担当者コード及び店コードをＩＣタグ３３のＩＣチップ３３３に書込む（ステップＳ２０４）処理を行う。
【０２３６】
このようにして運用準備が整った後、メダル計数機７０は、図２０に示すフローチャートに従った計数制御を行う。
【０２３７】
なお、図２０に示すメダル計数機７０の処理動作のうち、ステップＳ２１１ｂからＳ２１８ｂまでの各処理動作は、図１０における玉計数機３０でのステップＳ２１１ａからＳ２１８ａまでの各処理動作と同等のものである。
【０２３８】
ここでは、メダル計数機７０の計数制御について、ステップＳ２１９ｂ以降の処理動作を主体に説明する。
【０２３９】
図２０において、メダル計数機７０は、ステップＳ２１１ｂからＳ２１８ｂの間に、担当者によって近接されたＩＣタグ３３からＩＣタグ読取／書込部７０８によって読取られた担当者コード及び店コードについて、それぞれ、適否判定を行なうと共に、これら両コードが適正と判定された場合には、更に、他条件の適否を判定し、上記担当者コード、店コード及び他条件のうちのいすれかでも不適正な場合には、表示／操作部７０１の表示画面に不適正である旨のメッセージを表示したり、ブザー７１１を鳴動させて警報を発する等のエラー報知処理を行う（ステップＳ２３１ｂ）。
【０２４０】
これに対して、上記担当者コード、店コード及び他条件の全てが適正な場合（ステップＳ２１８ｂＹＥＳ）、計数制御部７１５１は、計数円板７０３の回転駆動を許可する計数円板回転駆動許可状態を設定する（ステップＳ２１９ｂ）。
【０２４１】
この計数円板回転駆動許可状態において、計数制御部７１５１は、メダル検知部７０２の検知出力に基づいてメダルが投入されたか否かをチェックする（ステップＳ２２０ｂ）。
【０２４２】
ここで、メダルが投入された場合（ステップＳ２２０ｂＹＥＳ）、計数制御部７１５１は、駆動モータ７０４に駆動を指示して計数円板７０３を回転駆動する（ステップＳ２２１ｂ）。
【０２４３】
その後、計数制御部７１５１は、回転駆動中の計数円板７０３によって繰り出されるメダルが１個通過する毎に計数センサ７０５から出力されるパルスに基づきメダルの計数を行う（ステップＳ２２２ｂ）。
【０２４４】
メダルの計数開始後、計数制御部７１５１は、計数センサ７０５の出力パルスを監視して計数が終了したか否かをチェックする（ステップＳ２２３ｂ）。
【０２４５】
ここで、上記出力パルスが連続して得られていることにより計数が終了していないと判定（ステップＳ２２３ｂＮＯ）されている間はステップＳ２２２ｂでのメダル計数処理を続行する。
【０２４６】
これに対して、上記出力パルスが得られない期間が一定時間続くことにより計数が終了したと判定（ステップＳ２２３ｂＹＥＳ）されると、計数制御部７１５１は、駆動モータ７０４に駆動停止を指示することにより計数円板７０３の回転駆動を停止し（ステップＳ２２４ｂ）、レシート発行機３５に対してレシート発行を指示する（ステップＳ２２５ｂ）。
【０２４７】
レシート発行機３５では、メダル計数機７０からのレシート発行指示に基づき、当該メダル計数機７０からそれまでの計数処理（ステップＳ２２２ｂ）で得たメダル数情報（メダル計数値）を取得し、該メダル計数値、計数日時、計数機の番号等の情報を印字したメダル数レシートを発行すると共に、メダル数レシートの発行が正常に終了すると、計数の不許可を指示する信号をメダル計数機７０に対して送出する。
【０２４８】
また、この時、特殊景品に交換できない余りメダルがある場合には、余りメダル数もメダル計数機７０に通知する。
【０２４９】
一方、メダル計数機７０では、レシート発行機３５から計数不許可指示信号を受信したか否かによってレシート発行が完了したかどうかをチェックし（ステップＳ２２６ｂ）、レシート発行が完了した場合（ステップＳ２２６ｂＹＥＳ）、更に、レシート発行機３５からの余りメダル数の通知如何によって余りメダルがあるか否かをチェックする（ステップＳ２２７ｂ）。
【０２５０】
ここで、余りメダルがない場合（ステップＳ２２７ｂＮＯ）、計数制御部７１５１は、計数円板７０３の回転駆動を禁止する計数円板回転駆動禁止状態を設定する（ステップＳ２２９ｂ）。
【０２５１】
これに対し、余りメダルがあった場合（ステップＳ２２７ｂＹＥＳ）、計数制御部７１５１は、メダル返却部７０６に指示して余りメダルの返却を行ない（ステップＳ２２８ｂ）、返却が完了した後、ステップＳ２２９ｂに進み、計数円板回転駆動禁止状態を設定する。
【０２５２】
その後、計数制御部７１５１は、それまで一連の計数制御における計数成否や、メダル計数値等の利用データをＴ／Ｃ１０に送信し（ステップＳ２３０ｂ）、その後、待機状態に復帰する。
【０２５３】
このように、実施例４に係わるメダル計数機７０では、遊技媒体（メダル）の計数の許可／禁止を、シャッタの開閉ではなく、計数円板の回転駆動／駆動停止によって制御している。
【０２５４】
この実施例４においても、計数担当者はＩＣタグ３３を当該メダル計数機７０のＩＣタグ読取／書込部７０８に近接させるだけでメダルの計数操作を行うことができ、上記各実施例と同様、カード挿入→情報読取→カード返却という操作が必要であった従来の鍵カード式の計数機に比べて計数操作を簡略化できしかも計数時間も短縮できるという効果を奏する。
【０２５５】
なお、上記実施例３、実施例４においては、一体型玉計数機３６、メダル計数機７０が、それぞれの利用データをＴ／Ｃ１０に送信するようにしているが、実施例２のように、利用データを景品管理装置６５に送信する構成としても良い。
【０２５６】
この他、本発明は、上記し、且つ図面に示す実施例に限定することなく、その要旨を変更しない範囲内で適宜変形して実施できるものである。
【０２５７】
例えば、上記各実施例では、遊技媒体計数装置（玉計数機３０、一体型玉計数機３６、メダル計数機７０）に対してＴ／Ｃ１０から計数許可条件を設定するようにしているが、これに限らず、各遊技媒体計数装置で計数許可条件を設定するようにしても良い。
【０２５８】
この場合、遊技媒体計数装置をメンテナンスモードに設定した状態で、ＩＣタグ読取／書込部にＩＣタグ３３をかざすことにより、該ＩＣタグ３３に記憶されているタグ情報（担当者コード、店コード等）が、計数処理を許可する計数許可条件情報として当該遊技媒体計数装置のメモリ部に設定、記憶させることができる。
【０２５９】
また、上記実施例１、２に係わる玉計数機３０、一体型玉計数機３６は、玉の計数の許可、禁止を制御する機構としてシャッタ機構を用いているが、この種の機構として、例えば、玉投入部の上部を覆って玉の投入を阻止する機構や、玉計数部への玉の通路を遮断する機構を採用しても良い。
【０２６０】
また、上記実施例では、計数担当者識別用のタグであるＩＣタグとしてリストバンド型のものを用いたが、カード型のＩＣタグを用いることもできる。
【産業上の利用可能性】
【０２６１】
本発明は、遊技媒体を計数する計数機を含む遊技媒体計数システムに適用でき、計数担当者にＩＣタグから成る担当者識別タグを携帯させ、該識別タグを計数機側の識別タグ処理部に近接させてタグ情報を読取らせることにより計数動作を起動させることによって計数操作の簡略化が図れ、また、各計数機から利用データを収集して、計数担当者の計数操作回数等を集計することで、該集計結果を計数担当者の勤務評価等に活用できる。
【図面の簡単な説明】
【０２６２】
【図１】実施例１に係る遊技店システムの概略構成を示すブロック図。
【図２】Ｔ／Ｃの機能構成を示す図。
【図３】島における玉循環プロセスを示す概念図。
【図４】実施例１に係わる玉計数機の機能構成を示すブロック図。
【図５】実施例１に係わる玉計数機の断面構成を示す概念図。
【図６】ＩＣタグの具体的な実施形態を示す図。
【図７】実施例１に係わるＴ／Ｃと玉計数機間の制御シーケンスを示す図。
【図８】実施例１に係わる計数担当者ＤＢの一例を示す図。
【図９】玉計数機と各担当者が携帯するＩＣタグの記憶情報の関係を示す図。
【図１０】実施例１に係わる玉計数機の計数制御動作を示すフローチャート。
【図１１】図１０におけるＳ２１８ａでの他条件適否判定処理動作を示すフローチャート。
【図１２】実施例１のシステムでの利用データ処理手順を示す制御シーケンス。
【図１３】Ｔ／Ｃが保持する利用ログＤＢの一例を示す図。
【図１４】Ｔ／Ｃの集計機能による集計結果の具体例を示す図。
【図１５】Ｔ／Ｃの集計機能による集計結果の別の具体例を示す図。
【図１６】Ｔ／Ｃの検索機能による検索結果の具体例を示す図。
【図１７】玉計数機が利用データを景品管理装置に送出する場合のシステム構成を示す図。
【図１８】実施例３に係わる一体型玉計数機の機能構成を示すブロック図。
【図１９】実施例４に係わるメダル計数機の機能構成を示すブロック図。
【図２０】実施例４に係わるメダル計数機の計数制御動作を示すフローチャート。
【符号の説明】
【０２６３】
１０…管理装置（Ｔ／Ｃ）、１１…制御部（ＣＰＵ）、１１１…集計／検索処理部、１２…記憶装置、１３…メモリ、１３１…会員管理テーブル、１３３…計数担当者データベース（ＤＢ）、１３５…利用ログデータベース（ＤＢ）、１３５１，１３５２…集計結果、１３５３…検索結果、１４…入力装置、１５…表示装置、１６…通信インタフェース（Ｉ／Ｆ）部、１７…プリンタ、２０，２０Ａ，２０Ｂ，２０Ｃ…島コントローラ、３０，３０Ａ，３０Ｂ，３０Ｃ…玉計数機、３６…一体型玉計数機、３００…入力部、３０１…表示部、３０２…シャッタ、３０３…シャッタ駆動モータ、３０４…シャッタ開閉検知センサ、３０５…計数センサ、３０６…玉返却部、３０７…異常検出部、３０８…シャッタ開閉スイッチ、３０９…ＩＣタグ読取／書込部、３１０…計時部、３１１…メモリ部、３１２…ブザー、３１３…電源部、３１４…通信インタフェース（Ｉ／Ｆ）部、３１５…制御部、３１５１，３１５１ａ…計数制御部、３６１…表示／操作部、３６２…計数レシート発行部、３６３…カード処理部、３２１…玉投入部、３２２…玉取込口、３３…ＩＣタグ、３３１…タグベース部、３３２…リストバンド、３３３…ＩＣチップ、３５，３５Ａ，３５Ｂ，３５Ｃ…レシート発行機、４５，４５Ａ，４５Ｂ，４５Ｃ…玉貸処理機、５１…玉回収機構、５２…揚送・研磨機構、５３…補給機構、５１１ａ…玉回収通路、５１１ｂ…計数機側玉回収通路、５１２…貯留タンク、５１３…貯留量検知センサ、５１４…詰まり検知センサ、５２１…揚送部、５２２…研磨部、５３１…補給通路、６５…景品管理装置、７０…メダル計数機、７０１…表示／操作部、７０２…メダル検知部、７０３…計数円板、７０４…駆動モータ、７０５…計数センサ、７０６…メダル返却部、７０７…異常検出部、７０８…ＩＣタグ読取／書込部、７０９…計時部、７１０…メモリ部、７１１…ブザー、７１２…電源部、７１３…通信インタフェース（Ｉ／Ｆ）部、７１５…制御部、７１５１…計数制御部、８０…ローカル・エリア・ネットワーク（ＬＡＮ）
【図１】
2005334246.tif 000003
【図２】
2005334246.tif 000004
【図３】
2005334246.tif 000005
【図４】
2005334246.tif 000006
【図５】
2005334246.tif 000007
【図６】
2005334246.tif 000008
【図７】
2005334246.tif 000009
【図８】
2005334246.tif 000010
【図９】
2005334246.tif 000011
【図１０】
2005334246.tif 000012
【図１１】
2005334246.tif 000013
【図１２】
2005334246.tif 000014
【図１３】
2005334246.tif 000015
【図１４】
2005334246.tif 000016
【図１５】
2005334246.tif 000017
【図１６】
2005334246.tif 000018
【図１７】
2005334246.tif 000019
【図１８】
2005334246.tif 000020
【図１９】
2005334246.tif 000021
【図２０】
2005334246.tif 000022